(57)【要約】      （修正有）【課題】道路のコーナ部への対応や長さ調整時などに切断された側溝蓋の位置ずれやガタツキなどを抑制する側溝蓋を提供する。【解決手段】側溝蓋２０は、側溝ブロックの側壁の上端間の開口部を閉塞する蓋本体２１と、蓋本体２１の底面２１ａにおいて長手方向に沿って平行に形成されたストッパー２３の列と、各ストッパーの外側に形成された複数の突起部２２とを備える。このストッパー２３の列は、複数のストッパーを極僅かな間隔をおいて直列に配置して構成されている。また、突起部２２は、前後のストッパー２３の外側に複数が配置されている一方、中間のストッパー２３の外側に単数が配置されている。これにより蓋本体２１を切断した後の分割部２０の四隅にストッパー２３と突起部２２とが配置される。【選択図】図２
2019124032.tif 000002
【特許請求の範囲】
【請求項１】
断面Ｕ字状に形成された側溝ブロック用の側溝蓋であって、
前記側溝ブロックの側壁の上端間における開口部を閉塞する蓋本体と、
前記蓋本体の底面において長手方向に沿って平行に形成され、かつ前記各側壁の内側に形成された受部に係止するストッパーの列と、
前記各ストッパーの列の外側に形成され、かつ前記受部の水平面に載置される複数の突起部と、を備え、
少なくとも前記蓋本体を切断した後の分割部の四隅に前記ストッパーと前記突起部とが配置されることを特徴とする側溝蓋。
【請求項２】
前記各ストッパーの列は、複数のストッパーを極僅かな間隔をおいて直列に配置して構成されている
ことを特徴とする請求項１記載の側溝蓋。
【請求項３】
前記各ストッパーの外側には、単数個または複数個の前記突起部が形成されていることを特徴とする請求項２記載の側溝蓋。
【請求項４】
前記各ストッパーの列は、前記蓋本体の長手方向と略同等な長さのストッパーにより構成されている
ことを特徴とする請求項１記載の側溝蓋。
【発明の詳細な説明】
【技術分野】
【０００１】
本発明は、側溝の開口部などを閉塞する側溝蓋に関する。
【背景技術】
【０００２】
周知のように道路（車道）と歩道との間には、雨水を集水して流出させるため、コンクリート製の側溝ブロックを埋設して側溝を構成している。この側溝ブロックの上端には開口部が形成され、該開口部は側溝蓋（側溝ブロックの蓋）により閉塞されている。この側溝蓋としては、特許文献１，２が公知となっている。
【０００３】
図４および図５に基づき概略を説明すれば、図４に示すように、特許文献１，２の側溝ブロック２は、縦断面Ｕ字状のブロック本体２ａと、ブロック本体２ａの左右の上端に形成された上端壁２ｂとを備えている。このブロック本体２ａの内部には水路７が形成されている一方、上端壁２ｂ間に開口部４を有している。
【０００４】
このブロック本体２ａの内面３ａと上端壁２ｂの内面３ｂとの間には段差状の受部３が形成され、両面３ａ，３ｂ間の水平面３ｃに側溝蓋１が載置されて上端開口部４を閉塞している。
【０００５】
この側溝蓋１は、平板状に形成され、図５（ａ）に示すように、底面６ａの四隅に形成されたストッパー５と、左右のストッパー５群の外側にそれぞれ等間隔に３個づつ形成された突起部６とを備えている。
【０００６】
具体的には各ストッパー５は、図５（ｂ）に示すように、側溝蓋１の底面６ａにボックス状に突出形成されている。この各ストッパー５は、ブロック本体２ａにおける左右の内側面３ａの上部間、即ち水平面３ｃ直下の内側面３ａ間に配置され、該内側面３ａに係止することで側溝蓋１の位置ずれを抑制している。
【０００７】
また、突起部６は、側溝蓋１の底面６ａから半球状に突出形成され、水平面３ｃ上に載置され、側溝蓋１のガタツキ音を抑制している。なお、特許文献２の側溝蓋１の平面には、集排水や景観性の観点からハツリ模様が施されている。
【先行技術文献】
【特許文献】
【０００８】
【特許文献１】意匠登録第１２４９９３７号公報
【特許文献２】意匠登録第１２７０６５７号公報
【特許文献３】特許第４２３４３１５号公報
【発明の概要】
【発明が解決しようとする課題】
【０００９】
特許文献１，２の側溝蓋１は、ストッパー５により位置ずれを抑制し、かつ突起部６によってガタツキ音を抑制しているものの、道路のコーナ脇などの場合に以下の問題が生じていた。
【００１０】
すなわち、道路のコーナ脇に埋設された側溝ブロック２に側溝蓋１を設置する際には、例えば図５（ａ）中のＰ−Ｐ破線に示すように、設置前にコーナの曲率に応じて斜めに切断しなければならない場合がある。また、同Ｑ−Ｑ破線に示すように、長さ調整のために水平に切断しなければならない場合もある。
【００１１】
このような切断後は、前後のストッパー５群の一方側が消失するため、ストッパー５が四隅にはなく、その抑えが弱まって側溝蓋１の位置ずれを抑制できないおそれがある。また、Ｑ−Ｑ破線に沿って切断した後のα側の側溝蓋１は、底面６ａに突起部６が２個しかないため、側溝蓋１を支えられず、却ってガタツキが発生するおそれもある。
【００１２】
本発明は、このような従来の問題を解決するためになされ、道路のコーナ脇の側溝への対応や長さ調整などの必要から切断された側溝蓋について設置時の位置ずれやガタツキの抑制を図ることを解決課題としている。
【課題を解決するための手段】
【００１３】
（１）本発明は、断面Ｕ字状に形成された側溝ブロック用の側溝蓋であって、
前記側溝ブロックの側壁の上端間における開口部を閉塞する蓋本体と、
前記蓋本体の底面において長手方向に沿って平行に形成され、かつ前記各側壁の内側に形成された受部に係止するストッパーの列と、
前記各ストッパーの外側に形成され、かつ前記受部の水平面に載置される複数の突起部と、を備え、
少なくとも前記蓋本体を切断した後の分割部の四隅に前記ストッパーと前記突起部とが配置される。
【００１４】
（２）前記ストッパーの列に係る一態様としては、複数のストッパーを極僅かな間隔をおいて直列に配置して構成することができる。この場合、前記各ストッパーの外側には、単数個または複数個の前記突起部が形成されていることを特徴とする請求項２記載の側溝蓋。
【００１５】
（３）前記ストッパーの列に係る他の態様としては、前記蓋本体の長手方向と略同等な長さのストッパーにより構成することができる。
【発明の効果】
【００１６】
本発明によれば、道路のコーナ脇の側溝への対応や長さ調整時の必要から切断された側溝蓋について設置時の位置ずれやガタツキなどを抑制することができる。
【図面の簡単な説明】
【００１７】
【図１】（ａ）は本発明の実施形態に係る側溝蓋が使用される側溝ブロックの正面図、（ｂ）は同側面図。
【図２】（ａ）は、本発明の実施形態に係る側溝蓋の底面図、（ｂ）は同側溝蓋の平面図、（ｃ）は同正面図、（ｄ）は同側面図。
【図３】（ａ）は図１の側溝ブロックに図２の側溝蓋を設置して側溝を構築した状態の平面図、（ｂ）は（ａ）のＡ−Ａ断面図、（ｃ）は（ａ）のＲ２−１部分の底面図、（ｄ）は（ａ）のＲ１−１部分の底面図。
【図４】特許文献１，２の側溝蓋を側溝ブロックに設置した状態の縦断面図
【図５】（ａ）は特許文献１，２の側溝蓋の底面図、（ｂ）は同縦断面図。
【発明を実施するための形態】
【００１８】
以下、本発明の実施形態に係る側溝蓋（側溝ブロックの蓋）を説明する。この側溝蓋は、雨水などを集水して流出させるために道路（車道）と歩道との間に埋設されるコンクリート製の側溝ブロックの上端開口部を閉塞する。
【００１９】
≪構成例≫
（１）まず、図１に基づき前記側溝蓋が設置される側溝ブロックの一例を説明する。図１中の１０は側溝ブロックを示している。この側溝ブロック１０は、縦断面Ｕ字状に形成され、底壁１１の両側端部に立設された側壁１２と、各側壁１２の上部に形成された受部１３とを備え、両側壁１２の上端部間に開口部Ｗを有している。また、各受部１３は、側壁１２の内面から矩形状に突出形成され、前記側溝蓋を載置する水平面１３ａを有している。
【００２０】
（２）つぎに図２に基づき前記側溝蓋の一例を説明する。図２中の２０は、側溝ブロック１０に設置される前記側溝蓋を示している。この側溝蓋２０は、側溝ブロック１０の開口部Ｗを閉塞する。
【００２１】
具体的には前記側溝蓋２０は、略長方形の平板状に形成されたコンクリート製の蓋本体２１と、蓋本体２１の底面２１ａに平行に形成されたストッパー２３の列と、底面２１ａにおいてストッパー２３の各列の外側に等間隔に形成された５個の突起部２２とを備えている。この蓋本体２１の平面２１ｂには凹凸模様が形成され、蓋本体２１の前後端部には切欠部２４が形成されている。
【００２２】
ここでは各ストッパー２３は縦長（長さ＝Ｌ４）に形成され、３個のストッパー２３を底面２１ａの長手方向に沿って間隔Ｌ１をおいて直列に配置することでストッパー２３の列が構成されている。
【００２３】
この間隔Ｌ１は、「Ｌ１：Ｌ４＝１：８〜１：１５」の比率に設定され、また蓋本体２１の長手方向の長さ「Ｌ５」に対して「Ｌ１：Ｌ５＝１：３０〜１：５０」の比率という極僅かな間隔に設定されている。また、各列のストッパー２３の外面２３ａ間の距離Ｌ２は、側溝ブロック１０の両受部１３間の距離Ｌ３と略同等に形成されている。
【００２４】
さらに各突起部２２は、縦断面半円状に形成され、それぞれストッパー２３に対応して配置されている。すなわち、底面２１ａにおいては、前後のストッパー２３の外側に２個の突起部２２が形成されている一方、中央のストッパー２３の外側に１個の突起部２２が形成されている。
【００２５】
≪設置例≫
図３に基づき側溝蓋２０を道路のコーナ脇の側溝への設置例を説明する。ここでは側溝のコーナ部Ｒには、事前に側溝ブロックの埋設が完了しているものとする。このコーナ部Ｒに埋設された側溝ブロック１０には、該コーナ部Ｒの曲率や長さに応じて切断などの加工が施されている。この切断などの加工が施された側溝ブロック１０に側溝蓋２０が設置され、開口部Ｗを側溝蓋２０により閉塞している。
【００２６】
ここでは側溝蓋２０には、側溝ブロック１０と同様にコーナ部Ｒの曲率や長さに応じた切断が施される。この切断された側溝蓋２０を分割部と呼ぶものとし、コーナ部Ｒの構築には斜切りされた分割部２０（Ｒ２−１〜Ｒ５−１，Ｒ２−２〜Ｒ５−２）と、長さ調整用の分割部２０（Ｒ１−１，Ｒ１−２）とが用いられている。
【００２７】
例えば分割部２０（Ｒ２−１）は、側溝蓋２０を図３（ｃ）のＰ−Ｐ破線に沿って矩形状に分割するように斜めに切断されている。同様に他の分割部２０（Ｒ３−１〜Ｒ５−１，Ｒ２−２〜Ｒ５−２）も切断角度および切断位置を変えて斜めに切断されている。
【００２８】
また、分割部２０（Ｒ１−１）は、側溝蓋２０を図３（ｄ）のＱ−Ｑ破線に沿って略正方形状に分割するように切断されている。同様に他の分割部２０（Ｒ２−２）も、切断位置を変えて分割されている。なお、Ｒ１−１およびＲ２−１の位置では、共にβ側の分割部２０が使用されるものとする。
【００２９】
このような分割部２０の側溝ブロック１０への設置の際には、分割部２０（Ｒ２−１〜Ｒ５−１，Ｒ２−２〜Ｒ５−２，Ｒ１−１，Ｒ１−２）を、それぞれの対応位置の側溝ブロック１０の両受部上に順次に設置する。
【００３０】
このときストッパー２３は側溝蓋２０の切断時に切断されているものの、側溝蓋２０の各ストッパー２３は底面２１ａに間隔Ｌ１をおいて直列に配置されているため、分割部の底面２１ａの四隅にはストッパー２３（切断されたストッパー２３の部分を含む。）が配置される。
【００３１】
したがって、分割部（Ｒ２−１〜Ｒ５−１，Ｒ２−２〜Ｒ５−２，Ｒ１−１，Ｒ１−２）の各ストッパー２３は、図３（ｂ）に示すように、それぞれ対応する側溝ブロック１０の両受部１３間に位置する。これにより各ストッパー２３が受部１３に係止し、分割部２０の位置ずれなどが抑制される。
【００３２】
ここで特許文献３は、Ｖ字状の間隙１８（特許文献２中の符号）に弧状の突条１６（同符号）を入り込ませて幅方向のずれを抑制しているが、側溝ブロック側にも突条１６又は間隙１８の形状が必要なため、汎用的な側溝ブロックの蓋には使用できず、汎用性が低い。
【００３３】
これに対して側溝蓋２０によれば、側溝ブロック１０側には突条１６や間隙１８などの特別な構成は必要なく、側溝蓋２０を既存の側溝ブロック１０の蓋として用いるだけで位置ずれ抑制の効果が得られる。この点で側溝蓋２０は汎用性が高く、特許文献３と形状および効果が顕著に相違する。
【００３４】
また、側溝蓋２０の突起部２２は、前後のストッパー２３の外側に２個形成されている一方、中央のストッパー２３の外側に１個形成されている。この配置構成によれば、少なくとも分割部２０（Ｒ２−１〜Ｒ５−１，Ｒ２−２〜Ｒ５−２，Ｒ１−１，Ｒ１−２）の底面２１ａの四隅には突起部２２が配置される。
【００３５】
したがって、分割部２０（Ｒ２−１〜Ｒ５−１，Ｒ２−２〜Ｒ５−２，Ｒ１−１，Ｒ１−２）の各ストッパー２３が、それぞれ対応する側溝ブロック１０の受部１３の水平面１３ａ上に載置される。
【００３６】
これにより分割部２０（Ｒ２−１〜Ｒ５−１，Ｒ２−２〜Ｒ５−２，Ｒ１−１，Ｒ１−２）のガタツキなどが抑制される。その結果、側溝蓋２０によれば、コーナ部Ｒに埋設された側溝ブロックに位置ずれやガタツキなどを生じさせることなく設置できという効果が得られる。
【００３７】
≪その他・他例≫
本発明は、上記実施形態に限定されるものではなく、各請求項に記載された範囲内で変形して実施することができる。以下に一例を説明する。
【００３８】
（１）側溝蓋２０の平面２１ｂの凹凸模様は無くてもよく、切欠部２４は必ずしも形成する必要は無い。また、突起部２２は、ストッパー２３毎にその外側に形成され、かつ切断後に分割部２０の四隅にストッパー２３と共に配置されればよく、その個数は問わない。例えば各ストッパー２３の外側にそれぞれ２個〜４個の突起部２２を形成してもよい。
【００３９】
（２）図３（ｄ）の長さ調整用の分割部２０は、側溝のコーナ部だけではなく、側溝の直線部であっても設置長さに応じて適宜に切断されて使用することができる。
【００４０】
（３）隙間Ｌ１を廃止してストッパー２３の列を一体形成し、蓋本体２１の底面２１ａに長手方向と略同等な長さのストッパー列を平行に配置することもできる。この場合は、複数の突起部２２を各ストッパー列の外側に等間隔に配置し、各ストッパー列の外側に突起部２２群を形成すればよい。
【符号の説明】
【００４１】
１０…側溝ブロック
１１…側壁
１３…受部
１３ａ…水平部
２０…側溝蓋
２１…蓋本体
２１ａ…底面
２２…突起部
２３…ストッパー
Ｌ１…間隔
Ｗ…開口部
【図１】
2019124032.tif 000003
【図２】
2019124032.tif 000004
【図３】
2019124032.tif 000005
【図４】
2019124032.tif 000006
【図５】
2019124032.tif 000007